(57)【要約】【課題】電池とガス流量測定用のマイクロコンピュータやその周辺回路等との間に介在するヒューズの溶断時に、バックアップ電池からの電源により継続動作させる。【解決手段】電池パック３０のリチウム電池３１，３１，…からヒューズ３２を介してコントローラ１１やディスプレイ１２等に電源を供給するための給電用導電パターン１４上の分岐箇所ａから、第１の分岐導電パターン１６を分岐接続して、これに、第１スイッチングトランジスタ１８とバックアップ用のリチウム電池２２とを直列に介設すると共に、分岐箇所ａよりもヒューズ３２側の給電用導電パターン１４箇所に、コネクタ１３側から分岐箇所ａ側への電流の通過を許容し、分岐箇所ａ側からコネクタ１３側への電流の通過を阻止する向きで、ショットキーバリアダイオード２１を介設した。【選択図】図１
2008002856.tif 000002
【特許請求の範囲】
【請求項１】
電池からヒューズを介して供給される電源により動作する電気素子を用いて、流体の流量を測定する電池駆動式の流量メータにおいて、
前記電池に接続された前記ヒューズと前記電気素子とを接続する電源ライン上の分岐箇所から分岐接続されたバックアップ電池と、
前記電源ライン上の、前記分岐箇所と前記ヒューズとの間の電源ライン箇所に介設され、前記ヒューズ側から前記分岐箇所側への電流の通過を許容すると共に、前記分岐箇所側から前記ヒューズ側への電流の通過を阻止する整流素子と、
を備えることを特徴とする電池駆動式流量メータ。
【請求項２】
前記電池は、単一または複数並列に接続されており、前記バックアップ電池と前記電池とは同一スペックの電池体で構成されている請求項１記載の電池駆動式流量メータ。
【請求項３】
少なくとも前記電池からヒューズを介して供給される電源により動作し、前記電源ライン上における前記電池の電圧を監視する電池電圧監視手段と、前記分岐箇所と前記バックアップ電池との間に介設された第１のスイッチング手段と、少なくとも前記電池からヒューズを介して供給される電源により動作し、前記電池電圧監視手段により監視された前記電源ライン上における前記電池の電圧が、前記電気素子の動作に必要な下限値電圧まで低下した際に、開放状態にある前記第１のスイッチング手段を閉成させる制御手段と、前記第１のスイッチング手段及び前記バックアップ電池の間の第２分岐箇所と接地電位箇所との間に介設されたダミー抵抗と、該ダミー抵抗と前記第２分岐箇所との間に介設された第２のスイッチング手段と、少なくとも前記電池からヒューズを介して供給される電源により動作し、前記制御手段が前記第１のスイッチング手段を開放させている間、開放状態にある前記第２のスイッチング手段を間欠的に閉成させる第２の制御手段とをさらに備える請求項１又は２記載の電池駆動式流量メータ。
【発明の詳細な説明】
【技術分野】
【０００１】
本発明は、電池から供給される電源により動作する電気素子を用いてガス等の流体の流量を測定する電池駆動式の流量メータに関する。
【背景技術】
【０００２】
マイクロコンピュータを用いてガス等の流体の流量を測定する電池駆動式の流量メータには、交換可能な電池から供給される電源によってマイクロコンピュータやその周辺回路等の電気素子を動作させるようにしたものがあり、そのような流量メータの中には、電池切れに伴う電池の交換中にメモリの記憶内容を保持したり、流量測定や遮断弁駆動等の最低限の動作を少なくとも保証するバックアップ電池を設けたものも、提案されている（例えば特許文献１、２）。
【０００３】
このような電池交換が可能な流量メータでは、筐体の外から電池を出し入れできるようにする必要上、電池をオンボード化する（マイクロコンピュータチップ耶蘇の周辺回路等の実装基板に直接実装させる）ことができないので、電池を交換可能に収容する電池ホルダと基板とを、コネクタやリード線等の配線を介して接続することになる。
【０００４】
そして、リード線には、例えば電池ホルダ部分から浸入した雨水等によって配線がショートした場合の電池保護のために、ヒューズが介設され、実際に配線がショートするとヒューズが溶断して電池の異常発熱等を防ぐことになる。
【特許文献１】特開２００３−１３０７０８号公報
【特許文献２】特開２００５−３０８２７号公報
【発明の開示】
【発明が解決しようとする課題】
【０００５】
上述したように電池ホルダと基板との間のリード線上にヒューズが介在する場合には、電池の交換時だけでなく、配線のショートに伴うヒューズの溶断時にも、バックアップ電池からの電源によってマイクロコンピュータやその周辺回路等の電気素子が継続動作できるようにすることが、流量測定や遮断弁駆動等の最低限の動作を少なくとも保証する上で重要である。
【０００６】
また、電池からの電源をマイクロコンピュータやその周辺回路等の電気素子に供給する配線上でショートが発生した際に、電池の異常発熱等を防ごうとする場合は、上述したような電池交換が可能な流量メータでなく交換不能な電池を電源とする流量メータであっても、やはり配線上にヒューズを介設することになり、そのような場合にも、ヒューズの溶断時におけるマイクロコンピュータやその周辺回路等の電気素子の継続動作を確保することは、流量測定や遮断弁駆動等の最低限の動作を少なくとも保証する上で重要である。
【０００７】
本発明は前記事情に鑑みなされたもので、本発明の目的は、電池から供給される電源により動作する電気素子を用いてガス等の流体の流量を測定する電池駆動式の流量メータにおいて、マイクロコンピュータやその周辺回路等の電気素子を実装した実装基板と電池との間の配線上にヒューズが介在する場合に、配線のショートによるヒューズの溶断時にもマイクロコンピュータやその周辺回路等の電気素子を継続動作させることができる電池駆動式流量メータを提供することにある。
【課題を解決するための手段】
【０００８】
前記目的を達成するため請求項１に記載した本発明の電池駆動式流量メータは、電池からヒューズを介して供給される電源により動作する電気素子を用いて、流体の流量を測定する電池駆動式の流量メータにおいて、前記電池に接続された前記ヒューズと前記電気素子とを接続する電源ライン上の分岐箇所から分岐接続されたバックアップ電池と、前記電源ライン上の、前記分岐箇所と前記ヒューズとの間の電源ライン箇所に介設され、前記ヒューズ側から前記分岐箇所側への電流の通過を許容すると共に、前記分岐箇所側から前記ヒューズ側への電流の通過を阻止する整流素子とを備えることを特徴とする。
【０００９】
また、請求項２に記載した本発明の電池駆動式流量メータは、請求項１に記載した本発明の電池駆動式流量メータにおいて、前記電池が、単一または複数並列に接続されており、前記バックアップ電池と前記電池とが同一の電池体で構成されているものとした。
【００１０】
さらに、請求項３に記載した本発明の電池駆動式流量メータは、請求項１又は２に記載した本発明の電池駆動式流量メータにおいて、少なくとも前記電池からヒューズを介して供給される電源により動作し、前記電源ライン上における前記電池の電圧を監視する電池電圧監視手段と、前記分岐箇所と前記バックアップ電池との間に介設された第１のスイッチング手段と、少なくとも前記電池からヒューズを介して供給される電源により動作し、前記電池電圧監視手段により監視された前記電源ライン上における前記電池の電圧が、前記電気素子の動作に必要な下限値電圧まで低下した際に、開放状態にある前記第１のスイッチング手段を閉成させる制御手段と、前記第１スイッチング手段及び前記バックアップ電池の間の第２分岐箇所と接地電位箇所との間に介設されたダミー抵抗と、該ダミー抵抗と前記第２分岐箇所との間に介設された第２のスイッチング手段と、少なくとも前記電池からヒューズを介して供給される電源により動作し、前記制御手段が前記第１のスイッチング手段を開放させている間、開放状態にある前記第２のスイッチング手段を間欠的に閉成させる第２の制御手段とをさらに備える構成とした。
【発明の効果】
【００１１】
請求項１に記載した本発明の電池駆動式流量メータによれば、電気素子と、この電気素子に対して動作用の電源を供給する電池とを接続する電源ライン上のヒューズが溶断すると、ヒューズを介して電源ラインに接続されている電池からの、電源ラインに連なる電気素子への給電が断たれ、電源ライン上の分岐箇所から分岐接続されたバックアップ電池のみが、電気素子に電気的に接続された状態となる。
【００１２】
このとき、分岐箇所とヒューズとの間の電源ライン箇所に介設されて、ヒューズ側から分岐箇所側への電流の通過を許容する整流素子が、分岐箇所側からヒューズ側への電流の通過を阻止することから、バックアップ電池からの電流を、分岐箇所からヒューズ側ではなく電気素子側に流れさせて、ショートによるヒューズの溶断時にも電気素子を継続動作させることができる。
【００１３】
尚、ヒューズと電源ラインとの間にコネクタ（実施形態中におけるコネクタ１３，３４）が介設されて、ヒューズ及び電池が電源ラインから電気的に切り離せるように構成される場合、整流素子はコネクタよりも電気素子側に配置されることが好ましく、そのように配置することで、ヒューズの溶断時にコネクタから電池側を電源ラインから切り離してヒューズ（や電池）の交換を行いつつ、バックアップ電池からの電源供給により電気素子の動作を確実に継続させることができるようになる。
【００１４】
また、請求項２に記載した本発明の電池駆動式流量メータによれば、請求項１に記載した本発明の電池駆動式流量メータにおいて、電池が、単一または複数並列に接続されている場合、バックアップ電池が電池と同一の電池体であると、１または複数並列の電池に対してヒューズを介して並列接続された状態にあるバックアップ電池が、ヒューズの非溶断中に、１または複数並列の電池と同じペースで容量を減らしていくことになり、１または複数並列の電池とバックアップ電池との間に電位差が生じないので、１または複数並列の電池から電気素子に向けた電流以外への無駄な、１または複数並列の電池からバックアップ電池への電流が流れるのを防ぎ、バックアップ電池を設けたことによる１または複数並列の電池の無用な消費を阻止することができる。
【００１５】
さらに、請求項３に記載した本発明の電池駆動式流量メータによれば、請求項１又は２に記載した本発明の電池駆動式流量メータにおいて、ヒューズの溶断に伴って、電池電圧監視手段により監視される電源ライン上の電池の電圧が、電気素子の動作に必要な下限値電圧まで低下すると、制御手段の制御によって、電源ライン上の分岐箇所とバックアップ電池との間に介設された開放状態の第１のスイッチング手段が閉成される。
【００１６】
一方、電池電圧監視手段により監視される電源ライン上の電池の電圧が下限値電圧まで低下していない間、第２の制御手段の制御によって、開放状態の第２のスイッチング手段が間欠的に閉成されると、制御手段の制御によって開放状態とされた第１のスイッチング手段により電源ライン上の分岐箇所から切り離されたバックアップ電池が、第２のスイッチング手段及び第２分岐箇所を介して、ダミー抵抗乃至接地電位箇所に間欠的に接続される。
【００１７】
すると、バックアップ電池、第２のスイッチング手段、第２分岐箇所、ダミー抵抗、及び、接地電位箇所の閉ループが間欠的に形成されて、この閉ループをバックアップ電池からの電流が流れる放電動作が間欠的に行われ、この間欠的なバックアップ電池の放電によって、第２のスイッチング手段の開放状態中にバックアップ電池の電極で発生したサルフェーション現象が解消される。
【００１８】
このため、電源ライン上の電池の電圧が下限値電圧まで低下した場合や、電源ライン上のヒューズが溶断した場合に、それまで長い間放電していなかったバックアップ電池に、電池に代わって電気素子を継続動作させるのに必要な電源を供給するのに足りる放電を、確実に行わせることができる。
【発明を実施するための最良の形態】
【００１９】
以下、本発明の電池駆動式流量メータの実施形態について、図面を参照して説明する。
【００２０】
図１は本発明が適用されるガスメータの電気的な構成の要部を一部ブロックにて示す回路図であり、図１引用符号１で示すガスメータ（請求項中の流量メータに相当）は、そのハウジング２の内部に、コントローラ１１や流量表示用のディスプレイ１２（請求項中の周辺回路に相当）等を実装した回路基板１０と、コントローラ１１やディスプレイ１２等に電源を供給するための、複数本のリチウム電池３１，３１，…（請求項中の電池に相当）を収容して並列回路を構成する電池パック３０とを有している。
【００２１】
前記電池パック３０は、ハウジング２の外部からリチウム電池３１，３１，…を交換できるように構成されており、ヒューズ３２が介設されたリード線３３とその先端のコネクタ３４とを介して、回路基板１０上のコネクタ１３に接続されている。
【００２２】
そして、電池パック３０の各リチウム電池３１には、内部インピーダンスや端子電圧のスペックを統一して均等放電（劣化度の均等化）を図るために、同一種類のものが用いられている。
【００２３】
前記回路基板１０には、さらに、コネクタ１３からコントローラ１１に亘って配線された給電用導電パターン１４（請求項中の電源ラインに相当）及びグラウンド用導電パターン１５（請求項中の接地電位箇所に相当）と、給電用導電パターン１４上の分岐箇所ａ（請求項中の分岐箇所に相当）とグラウンド用導電パターン１５とを接続する第１の分岐導電パターン１６と、第１の分岐導電パターン１６上の分岐箇所ｂ（請求項中の第２分岐箇所に相当）とグラウンド用導電パターン１５とを接続する第２の分岐導電パターン１７とが形成されている。
【００２４】
また、回路基板１０には、第１スイッチングトランジスタ１８（請求項中の第１のスイッチング手段に相当）、第２スイッチングトランジスタ１９（請求項中の第２のスイッチング手段に相当）、ダミー抵抗２０、ショットキーバリアダイオード２１（請求項中の整流素子に相当）、及び、コントローラ１１やディスプレイ１２等に対する電源供給をバックアップするためのリチウム電池２２（請求項中のバックアップ電池に相当）が実装固定されている。
【００２５】
このうち、リチウム電池２２は第１の分岐導電パターン１６上に介設されており、第１スイッチングトランジスタ１８のエミッターコレクタ間は、第１の分岐導電パターン１６上の、給電用導電パターン１４及び第１の分岐導電パターン１６の分岐箇所ａとリチウム電池２２との間の箇所に、介設されている。
【００２６】
そして、バックアップ電池２２には、電池パック３０の各リチウム電池３１と内部インピーダンスや端子電圧のスペックが同じ、同一の電池体が用いられている。
【００２７】
また、ダミー抵抗２０は第２の分岐導電パターン１７上に介設されており、第２スイッチングトランジスタ１９のエミッターコレクタ間は、第２の分岐導電パターン１７上の、第１及び第２の分岐導電パターン１６，１７の分岐箇所ｂとダミー抵抗２０との間の箇所に、介設されている。
【００２８】
ちなみに、ダミー抵抗２０の抵抗値は、コントローラ１１やディスプレイ１２等の、電池パック３０のリチウム電池３１，３１，…から電源の供給を受けて動作する負荷の抵抗値に比べて、遙かに大きい値に設定されている。
【００２９】
さらに、ショットキーバリアダイオード２１は、第１の分岐導電パターン１６上の、給電用導電パターン１４及び第１の分岐導電パターン１６の分岐箇所ａとコネクタ１３との間の箇所に、コネクタ１３側から分岐箇所ａ側への電流の通過を許容し、分岐箇所ａ側からコネクタ１３側への電流の通過を阻止する向きで介設されている。
【００３０】
尚、図１中引用符号２３，２４は、第１及び第２の各スイッチングトランジスタ１８，１９のベースに対して、そのエミッターコレクタ間の開閉を制御する制御信号をコントローラ１１から出力するための制御用導電パターン、引用符号２５は、給電用導電パターン１４上の、ショットキーバリアダイオード２１とコネクタ１３との間の箇所における電圧のアナログ値を内蔵のＡ／Ｄコンバータ（図示せず）を介してコントローラ１１に取り込むための電圧監視用導電パターンをそれぞれ示す。
【００３１】
また、図１中引用符号２６は、リード線４１及びその先端のコネクタ４２を介して遮断弁ユニット４０を接続するための、ハウジング２に設けられたコネクタであり、このコネクタ２６は、回路基板１０上の遮断制御用導電パターン２７を介してコントローラ１１に接続されている。
【００３２】
前記コントローラ１１は、ＲＡＭ及びＲＯＭ（いずれも図示せず）を内蔵するワンチップマイクロコンピュータμＣＯＭ（以下、「マイコン」と略記する。請求項中のマイクロコンピュータに相当）を有しており、このうちＲＡＭは、各種データ記憶用のデータエリア及び各種処理作業に用いるワークエリアを有しており、ＲＯＭには、マイコンμＣＯＭに各種処理動作を行わせるための制御プログラムが格納されている。
【００３３】
尚、マイコンμＣＯＭは、これに接続された不図示の流量センサから出力される、ガスメータ１内の流路を通過するガス（請求項中の流体に相当）の流量に応じた流量信号を、周期的に取り込み、この流量信号に基づいてガスの流量を周期的に演算して、演算した流量を、コントローラ１１に接続されたディスプレイ１２に表示させる。
【００３４】
そして、演算した流量の変化パターンがガスの漏洩を示すパターンに合致すると判断した場合や、不図示のガス漏れ警報器からガス漏れ検出時に出力される警報信号が入力された場合に、遮断制御用導電パターン２７、コネクタ２６．４２、及び、リード線４１を介して、遮断弁ユニット４０に対して内部の遮断弁（図示せず）を強制閉弁させるための強制閉弁信号を出力する。
【００３５】
次に、ＲＯＭに格納された制御プログラムに従いマイコンμＣＯＭが行う主な処理を、図２のフローチャートを参照して説明する。
【００３６】
電池パック３０が接続されてマイコンμＣＯＭが起動し、プログラムがスタートすると、マイコンμＣＯＭは、まず、ＲＡＭのワークエリア内に設けられた各種フラグエリアのフラグやタイマエリアのタイマ値のリセット、及び、バッファエリアのクリア等を行うと共に、制御用導電パターン２３，２４を介して第１及び第２の各スイッチングトランジスタ１８，１９のベースに出力する制御信号を、それらのエミッターコレクタ間をいずれも開放状態にするための内容とする初期設定を実行する（ステップＳ１）。
【００３７】
そして、ステップＳ１の初期設定が済んだならば、次に、電圧監視用導電パターン２５及び不図示のＡ／Ｄコンバータを介して取り込んだ、ショットキーバリアダイオード２１とコネクタ１３との間の給電用導電パターン１４箇所における電圧のアナログ値が、予め定められたコントローラ１１やディスプレイ１２等の動作に必要な下限値電圧まで低下したか否かを確認する（ステップＳ３）。
【００３８】
下限値電圧まで低下していない場合は（ステップＳ３でＮ）、後述するステップＳ１１に進み、低下した場合は（ステップＳ３でＹ）、制御用導電パターン２３を介して第１のスイッチングトランジスタ１８のベースに出力する制御信号を、そのエミッターコレクタ間を閉成状態にするための内容に変更した後（ステップＳ５）、電圧監視用導電パターン２５及び不図示のＡ／Ｄコンバータを介して取り込んだ、ショットキーバリアダイオード２１とコネクタ１３との間の給電用導電パターン１４箇所における電圧のアナログ値が、下限値電圧以上に回復したか否かを確認する（ステップＳ７）。
【００３９】
下限値電圧以上に回復していない場合は（ステップＳ７でＮ）、回復するまでステップＳ７をリピートし、回復した場合は（ステップＳ７でＹ）、制御用導電パターン２３を介して第１のスイッチングトランジスタ１８のベースに出力する制御信号を、そのエミッターコレクタ間を開放状態にするための内容に変更した後（ステップＳ９）、ステップＳ３にリターンする。
【００４０】
ステップＳ３において、電圧監視用導電パターン２５及び不図示のＡ／Ｄコンバータを介して取り込んだ、ショットキーバリアダイオード２１とコネクタ１３との間の給電用導電パターン１４箇所における電圧のアナログ値が、下限値電圧まで低下していない場合（Ｎ）に進むステップＳ１１では、ＲＡＭの監視周期タイマエリアにおけるタイムカウントのタイマ値Ｔａが電池電圧監視周期時間Ｔ１に達したか否かを確認する。
【００４１】
タイマ値Ｔａが電池電圧監視周期時間Ｔ１に達していない場合は（ステップＳ１１でＮ）、ステップＳ３にリターンし、達した場合は（ステップＳ１１でＹ）、制御用導電パターン２４を介して第２のスイッチングトランジスタ１９のベースに出力する制御信号を、そのエミッターコレクタ間を閉成状態にするための内容に、所定のリフレッシュ時間（例えば７００ｍｓ）だけ変更するリフレッシュ通電処理を行い（ステップＳ１３）、ＲＡＭの監視周期タイマエリアにおけるタイムカウントのタイマ値Ｔａをリセットした後（ステップＳ１５）、ステップＳ３にリターンする。
【００４２】
以上の説明からも明らかなように、本実施形態では、図２のフローチャートにおけるステップＳ３及びステップＳ７が、請求項中の電池電圧監視手段に対応する処理となっており、図２中のステップＳ３が、請求項中の制御手段に対応する処理となっていると共に、図２中のステップＳ１１乃至ステップＳ１５が、請求項中の第２の制御手段に対応する処理となっている。
【００４３】
即ち、本実施形態では、請求項中の電池電圧監視手段、制御手段、及び、第２の制御手段が、いずれもマイコンμＣＯＭによって構成されている。
【００４４】
このように構成された本実施形態のガスメータでは、電池パック３０のリチウム電池３１，３１，…が消耗したり、コネクタ１３，３４やリード線３３においてショートが発生すると、ショットキーバリアダイオード２１とコネクタ１３との間の給電用導電パターン１４箇所における電圧が下限値電圧まで低下し、それに伴って、コントローラ１１やディスプレイ１２等に供給される動作用の電源が、電池パック３０のリチウム電池３１，３１，…からバックアップ用のリチウム電池２２に切り替えられる。
【００４５】
そして、バックアップ用のリチウム電池２２から供給される電源によってコントローラ１１やディスプレイ１２等が動作している間は、給電用導電パターン１４の分岐箇所ａからコネクタ１３，３４及びリード線３３を介してヒューズ３２側に、リチウム電池２２からの電流が逆流することが、ショットキーバリアダイオード２２によって防止される。
【００４６】
このため、電池パック３０のリチウム電池３１，３１，…の消耗に伴う交換の際だけでなく、コネクタ１３，３４やリード線３３においてショートが発生して電池パック３０のリチウム電池３１，３１，…から電源の供給を受けられなくなった場合にも、バックアップ用のリチウム電池２２から電源を確実に供給させて、コントローラ１１やディスプレイ１２等の動作を確実に継続させることができる。
【００４７】
また、電池パック３０のリチウム電池３１，３１，…の消耗や、コネクタ１３，３４やリード線３３におけるショートが発生しておらず、ショットキーバリアダイオード２１とコネクタ１３との間の給電用導電パターン１４箇所における電圧が下限値電圧まで低下していない状態においては、第２のスイッチングトランジスタ１９のエミッターコレクタ間の開放により給電用導電パターン１４から電気的に切り離されたバックアップ用のリチウム電池２２が、間欠的（電池電圧監視周期時間Ｔ１毎）に、所定のリフレッシュ時間（例えば７００ｍｓ）だけダミー抵抗２０に接続されて通電される。
【００４８】
このため、第２のスイッチングトランジスタ１９のエミッターコレクタ間の開放により給電用導電パターン１４から電気的に切り離されている間、リチウム電池２２の電極で発生したサルフェーション現象が、ダミー抵抗２０への接続による通電で解消され、リチウム電池２２が活性化される。
【００４９】
これにより、電池パック３０のリチウム電池３１，３１，…の消耗や、コネクタ１３，３４やリード線３３におけるショートの発生に伴い、第２のスイッチングトランジスタ１９のエミッターコレクタ間を閉成して、リチウム電池２２から供給される電源によってコントローラ１１やディスプレイ１２等が動作させる際に、それらを動作させるのに必要な電源を供給するのに足りる放電を、リチウム電池２２に確実に行わせることができる。
【００５０】
尚、バックアップ用のリチウム電池２２を間欠的にダミー抵抗２０に接続して通電させるための構成は、省略してもよい。
【００５１】
また、本実施形態では、請求項中の電池電圧監視手段、制御手段、及び、第２の制御手段が、いずれもマイコンμＣＯＭによって構成されている場合について説明したが、それぞれ又はそれらの一部が個別の要素によって構成されていてもよい。
【００５２】
さらに、請求項中の電池電圧監視手段、制御手段、及び、第２の制御手段を構成する要素は、少なくとも、リチウム電池３１，３１，…の消耗や、コネクタ１３，３４やリード線３３におけるショートが発生していない正常時に、リチウム電池３１，３１，…から供給される電源によって動作する要素からなるものであればよく、リチウム電池３１，３１，…の消耗や、コネクタ１３，３４やリード線３３におけるショートが発生している際に、バックアップ用のリチウム電池２２からの電源供給を受けて動作するものでなくてもよい。
【００５３】
また、上述した実施形態では、コントローラ１１やディスプレイ１２等に供給される動作用の電源を、電池パック３０のリチウム電池３１，３１，…からバックアップ用のリチウム電池２２に切り替えた直後の、給電用導電パターン１４の分岐箇所ａからコネクタ１３，３４及びリード線３３を介してヒューズ３２側に逆流しようとするリチウム電池２２からの電流中に含まれる、高周波成分の逆流阻止用に、整流素子としてショットキーバリアダイオード２２を用いた。
【００５４】
しかし、コントローラ１１やディスプレイ１２等に供給される動作用の電源がバックアップ用のリチウム電池２２である間、ヒューズ３２側への電流の逆流を支障なく防止できるのであれば、ショットキーバリアダイオード２１以外の素子を整流素子として用いてもよい。
【００５５】
さらに、上述した実施形態では、コントローラ１１のマイコンμＣＯＭによって、ショットキーバリアダイオード２１とコネクタ１３との間の給電用導電パターン１４箇所における電圧を監視し、その値が、予め定められたコントローラ１１やディスプレイ１２等の動作に必要な下限値電圧まで低下した場合に、第１のスイッチングトランジスタ１８のエミッターコレクタ間を開放状態から閉成状態に切り換えさせて、コントローラ１１やディスプレイ１２等に供給される動作用の電源を、電池パック３０のリチウム電池３１，３１，…からバックアップ用のリチウム電池２２に切り替える構成とした。
【００５６】
しかし、これらの構成を省略して、バックアップ電池２２を第１の分岐導電パターン１６を介して、給電用導電パターン１４上の分岐箇所ａに直接接続する構成とし、ヒューズ３２の非溶断時に、ヒューズ３２やコネクタ１３，３４を介して電池パック３０の各リチウム電池３１，３１，…と並列接続されて、各リチウム電池３１，３１，…と共にコントローラ１１やディスプレイ１２等に動作用の電源を供給する構成としてもよい。
【００５７】
そして、そのように構成する場合、バックアップ電池２２に用いる電池は、電池パック３０の各リチウム電池３１と内部インピーダンスや端子電圧のスペックが同じ、同一の電池体である必要は、必ずしも無い。
【００５８】
しかし、各リチウム電池３１と同一の電池体をバックアップ電池２２に用いるようにした方が、各リチウム電池３１に対してヒューズ３２やコネクタ１３，３４を介して並列接続された状態にあるバックアップ電池２２が、ヒューズ３２の非溶断中に、各リチウム電池３１と同じペースで容量を減らしていくことになり、各リチウム電池３１とバックアップ電池２２との間に電位差が生じないので、リチウム電池３１からコントローラ１１やディスプレイ１２等に向けた電流以外への無駄な、リチウム電池３１からバックアップ電池２２への電流が流れるのを防ぎ、バックアップ電池２２を設けたことによるリチウム電池３１の無用な消費を阻止することができるので、有利である。
【００５９】
また、上述した実施形態では、コントローラ１１やディスプレイ１２等に電源を供給するのが、複数本のリチウム電池３１，３１，…の並列回路で構成される電池パック３０であるものとしたが、単一のリチウム電池３１がコントローラ１１やディスプレイ１２等に電源を供給する構成であっても、本発明は適用可能である。
【００６０】
さらに、上述した実施形態では、コネクタ１３，３４を介して回路基板１０側と電池パック３０及びヒューズ３２とを電気的に切り離して、電池パック３０やヒューズ３２を交換できる構成や、リチウム電池３１をハウジング２の外部から交換できる電池パック３０を用いた構成を例に取って説明したが、本発明は、回路基板１０側とリチウム電池３１及びヒューズ３２とが電気的に切り離せない構成のものや、リチウム電池３１が交換不能な構成のものについても適用可能である。
【００６１】
また、上述した実施形態では、ガスの流量を測定するガスメータ１に本発明を適用した場合を例に取って説明したが、本発明は、電池からの電源供給を受けて流量を測定する電池駆動式の流量メータである限り、例えば液体（純水、超純水、薬液、高腐食性液体等）等を含む流体の流量を測定する流量メータの全般に広く適用可能であり、かつ、流体の流量を測定するのに用いるセンサの種類によって、本発明の適用対象が限定されることはない。
【図面の簡単な説明】
【００６２】
【図１】本発明が適用されるガスメータの電気的な構成の要部を一部ブロックにて示す回路図である。
【図２】図１のＲＯＭに格納された制御プログラムに従い中央処理装置が行う処理を示すフローチャートである。
【符号の説明】
【００６３】
１  ガスメータ（流量メータ）
１２  ディスプレイ（電気素子、周辺回路）
１４  給電用導電パターン（電源ライン）
１５  グラウンド用導電パターン（接地電位箇所）
１８  第１スイッチングトランジスタ（第１のスイッチング手段）
１９  第２スイッチングトランジスタ（第２のスイッチング手段）
２０  ダミー抵抗
２１  ショットキーバリアダイオード（整流素子）
２２  リチウム電池（バックアップ電池、電池体）
３１  リチウム電池（電池、電池体）
３２  ヒューズ
μＣＯＭ  ワンチップマイクロコンピュータ（電気素子、マイクロコンピュータ、電池電圧監視手段、制御手段、第２の制御手段）
ａ  分岐箇所（分岐箇所）
ｂ  分岐箇所（第２分岐箇所）
【図１】
2008002856.tif 000003
【図２】
2008002856.tif 000004